(57)【要約】【課題】ストローの長さが伸縮して飲料容器内に収めて保管することができ、使用時には容器口より吸口部が外部に飛び出す磁化水を作る伸縮ストローを得る。【解決手段】外筒と内筒よりなるストローであり、両筒各々に磁石を同極を向き合わせて設置し、磁石の同極による反発力を働かせてストローの伸張方向に弾性を付与し、磁石を磁化水を作る働きに利用しているだけでなく、ストローの伸張方向の弾性力としても利用する【選択図】        図１
2005081117.tif 000002
【特許請求の範囲】
【請求項１】
飲料容器内の飲料水に磁気を作用させるストローにおいて、外筒と内筒よりなるストローであり、外筒内に内筒が挿入され両筒は長さ方向に伸縮自在であり、両筒各々に磁石を同極を向き合わせて設置し、外筒と内筒間に磁石の同極による反発力を働かせてストローの伸張方向に弾性を付与した伸縮ストロー
【請求項２】
ストロー筒に摩擦力により係合する吸口筒を設け、ストロー筒と吸口筒との摩擦力はストローの外筒と内筒に設けた磁石の反発力より大きい請求項１記載の伸縮ストロー
【請求項３】
ストローの外筒と内筒に設置した磁石の反発面以外の外側を磁性体成分を含んだ合成樹脂で覆った請求項１記載の伸縮ストロー
【請求項４】
ストローの外筒と内筒に磁石を設置するものであり、外筒自体を磁性体成分を含んだ合成樹脂とし、両磁石が外筒内に位置するようにし、内筒に設置した磁石が外筒内を移動してストローが伸縮する請求項１記載の伸縮ストロー
【請求項５】
ストローの外筒と内筒に磁石を設置するものであり、外筒自体を磁性体成分を含んだ合成樹脂とし、両磁石が外筒内に位置するようにし、該外筒はねじ等の係合手段で長さ方向に分離できるようにし、その外筒内部の分離線を内筒に設置した磁石のストロー伸張時の端部位置近辺とする請求項１記載の伸縮ストロー
【発明の詳細な説明】
【技術分野】
【０００１】本発明は磁石により磁化水を作るストローに関し、特にストローの長さが伸縮して飲料容器内に収めて保管することができ、使用時には容器口より吸口部が外部に飛び出す磁化水を作る伸縮ストローに関する。
【背景技術】
【０００２】飲料水等の流体に永久磁石により磁気を作用させると水の性質が変化することは古くから知られており、磁化水と称して利用されてきた。【０００３】飲料容器内の飲料水に磁気を作用させる場合、磁石を用いて容器の外部から磁気を作用させることも考えられるが、流動する飲料水に磁気を作用させたほうがよいので、飲料容器内に位置するストローに磁石を付設したものがある（例えば、特許文献１および特許文献２参照）。これらは、ストロー内を流動する飲料水に磁石による磁気を作用させるものである。また、蓋をした飲料容器内にストローを収めて保管し、蓋を取った場合に容器の開口からストローの吸口部が外部に押出されるものも伸縮ストローとして知られている（例えば、特許文献３参照）。この伸縮ストローは外筒と内筒よりなるもので両筒は伸縮自在で、蛇腹部により伸張方向に弾性が付与され、飲料容器に蓋をするときは弾性に逆らってストローを縮めて飲料容器に挿入した状態で保持でき、蓋を取った場合には蛇腹部の弾性によりストローが伸張して容器の開口からストローの吸口部が外部に押出される。
【特許文献１】特開平４−６４３１３号公報
【特許文献２】特開平１１−２１６４７６号公報（図７）
【特許文献３】実登３０３０２９６号公報
【発明の開示】
【発明が解決しようとする課題】
【０００４】磁石を設けたストローを蓋のある飲料容器に用いる場合、容器の開口からストローの吸口部が外に出ているとストローが障害となって飲料容器に蓋をすることができない。磁化水を作るためのストローでは磁石を飲料容器内に位置するようにして飲料水に常時磁気を作用させたほうが良いので、飲料容器の蓋をした状態でも内部に磁石を設けたストローを収容できるようにするのが好ましい。飲料容器より飲料水を飲む場合はストローの吸口部が容器の開口から外部に出ている必要があるので、ストローの全長は飲料容器の底と開口までの長さより長くする必要があり、そのままでは容器に蓋を出来ないので、蓋をした飲料容器にストローを挿入した状態で保持するためには、ストローを伸縮できるようにする必要があり、さらに使用時に容器開口よりストローの吸口部が外部に飛び出すようにするにはストローの伸張方向に弾性を付与するために何らかの弾性材を付加する必要がある。強力な磁石を用いる場合には、磁石による悪影響が他に及ばないようにする必要もあり、さらに、清潔を保つためにストロー各部を洗浄しやすい構成にする必要もある。
【課題を解決するための手段】
【０００５】本発明は外筒と内筒よりなるストローであり、外筒内に内筒が挿入され両筒は長さ方向に伸縮自在であり、両筒各々に磁石を同極を向き合わせて設置し、外筒と内筒間に磁石の同極による反発力を働かせてストローの伸張方向に弾性を付与したもので、手などで外力を与えればストローは縮み、手を離せば磁石の反発力により伸びる伸縮ストローである。磁石は磁化水を作る働きに利用しているだけでなく、ストローの外筒と内筒に設けた磁石の反発力をストローの伸張方向の弾性力としても利用する。【０００６】外筒と内筒間に磁石の同極による反発力の働くストローであり、さらに吸口筒を設けたストローで、吸口筒とストロー筒は摩擦力により係合し、この摩擦力はストローの外筒と内筒各々に設けた磁石の反発力より大きく、ストローに外力を与えて縮めようとする場合、最初は磁石を設置した外筒と内筒が磁石の反発力に逆らって縮小し、磁石同士が接するまで縮小した後にさらに外力を付与すれば、吸口筒とストロー筒間の摩擦力に逆らって吸口筒がストロー筒に押し込まれストローの全長が短くなる。外力の付与をやめれば、ストローの外筒と内筒は磁石の反発力で伸張するが、吸口筒とストロー筒間は摩擦力により係合したままで伸張することはない。【０００７】ストローの外筒と内筒に設置した磁石は同極による反発力を利用するだけでなく、飲料水に磁気を作用させるが、ストロー内部を通過する飲料水に磁気を作用させればよいので磁石の反発面以外の外側を磁性体成分を含んだ合成樹脂で覆い、磁石の磁束が外部に漏れるのを防ぐようにする。【０００８】ストローの外筒と内筒に磁石を設置するものであり、外筒自体を磁性体成分を含んだ合成樹脂とし、両磁石は外筒内に位置するようにし、内筒に設置した磁石が外筒内を移動してストローが伸縮する。【０００９】ストローの外筒と内筒に磁石を設置するものであり、外筒自体を磁性体成分を含んだ合成樹脂とし、両磁石は外筒内に位置するようにし、該外筒はねじ等の係合手段で長さ方向に分離できるようにし、その外筒内部の分離線を内筒に設置した磁石のストロー伸張時の端部位置近辺とする。
【発明の効果】
【００１０】外筒と内筒よりなる伸縮ストローで、両筒各々に磁石を同極が向き合うように設置したので、外筒と内筒間に磁石の同極による反発力が働いて、蛇腹部やスプリングを必要とせずに伸張方向に弾性を付与でき、磁石の磁化水を作る働きも両磁石の作用を期待するだけでなく、反発している両磁石の間は磁束密度が高いので、その部分のストロー内を通過する飲料水に磁気がより多く作用することを期待できる。【００１１】外筒と内筒に設置した磁石の反発力によるストロークはそんなに大きくなく２ないし３センチメートル程度であるので、このストローク全てを飲料容器の開口からの突出量とするには、ストロー縮小時の全長を飲料容器の底と開口までの長さに等しくする必要がある。ストロー筒と摩擦力により係合する吸口筒を設けたので、ストロー縮小時の全長が飲料容器の底と開口までの長さより長いストローを飲料容器に挿入した場合でも、ストローの吸口筒端部を蓋で押して外力を与えれば、最初は磁石を設置した外筒と内筒が磁石の反発力に逆らって縮み、磁石同士が接するまで縮小した後、さらに外力を付与すれば吸口筒とストロー筒間の摩擦力に逆らって吸口筒がストロー筒に押し込まれて、蓋を閉じた時のストロー縮小時の全長が飲料容器の底と開口までの長さと等しくなる。【００１２】ストローの外筒と内筒に設置する磁石として希土類磁石などの強力な磁石を用いる場合には、ストローを飲料容器から出した時に磁石の磁力で磁気カードに影響を与える等、各種の悪影響を与える可能性があるので、磁石の反発面以外の外側を磁性体成分を含んだ合成樹脂で覆う。磁性体成分を含んだ合成樹脂は合成樹脂にフェライト粉末などの磁性体を混合して成形するもので、非磁性体である合成樹脂を磁性体にすることが出来るもので、これにより磁石の磁束が外部に漏れるのを防ぎ、ストローの外筒と内筒に同極を向き合わせて設置した磁石の反発力が高まり、さらにストロー内部を通過する飲料水に働く磁気作用も大きくなる。【００１３】外筒と内筒よりなる伸縮ストローで外筒自体を磁性体成分を含んだ合成樹脂とし、外筒と内筒に設置する磁石が外筒内に位置するようにし、内筒に設置した磁石が外筒内を移動してストローが伸縮する。磁性体成分を含んだ合成樹脂により両磁石が囲まれるので磁石の磁束が外部に漏れるのを防ぐだけでなく、磁束密度が高い反発している両磁石の間は外筒のみで構成されるので、その部分の飲料水は両磁石間に挟まれる様に位置することになり磁気による作用が大きくなることも期待できる。【００１４】ストローの外筒と内筒に磁石を設置するもので、外筒自体を磁性体成分を含んだ合成樹脂とし両磁石を外筒内に位置するようにした場合、磁石部は外部に露出しないことになり直接洗浄することができなくなる。このため外筒をねじ等の係合手段で長さ方向に分離できるようにし、磁石部を外部に露出して直接洗浄できるようにする。さらに外筒をねじ等の係合手段で長さ方向に分離する分離線を、内筒に設置した磁石のストロー伸張時の端部位置近辺として、磁性体成分を含んだ合成樹脂よりなる外筒は、内筒に近い側と磁石を設置した側の２つに分離する。磁石を同極が向き合うように設置しても、磁性体筒内では磁石が磁性体に吸着しようとするので反発力は弱まるが、こうしておけば、外筒の磁気回路は分離線で分離し外筒の内筒に近い側には外筒の磁石による磁気があまり及ばず、外筒内を移動する内筒に設置した磁石と、外筒の内筒に近い側との間に働く磁気による吸着力を、ストロー伸張時の弾性力に利用でき、特に伸張時の伸張保持効果が大きくなる。磁性体成分を含んだ合成樹脂による外筒の磁性体成分を多くして磁石の磁束が外部に漏れるのを防ぐ効果を大きくしても、外筒の内筒に近い側と内筒に設置した磁石との間に働く磁気による吸着力を利用できるのでストローの伸張方向の弾性力を充分確保できる。
【発明を実施するための最良の形態】
【００１５】外筒と内筒よりなる磁化水を作る伸縮ストローで、外筒内に内筒が挿入され両筒は長さ方向に伸縮自在であり、内筒には外筒と係合するストッパを設け伸縮ストローは一定量伸張するが抜けないようにする。両筒各々に磁石を同極が向き合うように設置するが、外筒と内筒に固定して設置する磁石は棒状や立方体状磁石をストロー筒の円周に沿って複数配置して設置しても良いが、軸方向着磁のリング形の磁石を用いるのがより好ましい。両筒各々に同形のリング形の磁石を用い、リング形の磁石の内径孔を飲料水が通過するようにストローの筒とはリング形の磁石の内径孔で固定するのがよい。２つの同形のリング形の磁石の同極が向き合うことになり、磁石の同極による反発力を最大限引き出すことが出来る。また磁石の磁束が外部に漏れるのを防ぐために磁石外側に磁性体カバーを設ける場合は、外筒自体を磁性体カバーとするために外筒を磁性体成分を含んだ合成樹脂とするのがよく、この場合の外筒のリング形の磁石の設置は外筒内周とリング形の磁石の外径とを固定する。
【実施例１】
【００１６】図１は、本発明の伸縮ストローの第１実施例を示す斜視図で伸縮ストローが伸張した状態を示す。本発明は外筒１と内筒２よりなるストローであり、外筒内に内筒を挿入して両筒は長さ方向に伸縮自在である。外筒１の内筒側の端部にリング形の磁石３を固定して設置し、内筒２のリング形の磁石４は、外筒のリング形の磁石３から伸縮ストローク分離れた位置で固定して設置する。両磁石は同極を向き合わせて設置するので磁石の反発力により伸縮ストローに伸張方向の弾性力が働き、両磁石の向き合う面の間の距離が伸縮ストローの伸縮ストロークとなる。吸口筒５はストロー筒である内筒２と摩擦力により係合し、ストローを飲料容器に挿入した場合飲料容器の開口から外に突出する。【００１７】図２は、本発明の伸縮ストローの第１実施例を示す断面図で、図２Ａは伸縮ストローが伸張した状態を示し、図２Ｂは伸縮ストローが縮小した状態を示す。伸縮ストローの外筒１の下端部が飲料水の吸い込み口となり外筒１の内筒側の端部にリング形の磁石３を適宜な方法で固定する。伸縮ストローの内筒２は外筒内に挿入して両筒は長さ方向に伸縮自在であるが、伸縮ストローク分伸張するが抜けないように内筒には外筒と係合するストッパ６を設ける。内筒２のリング形の磁石４は、外筒のリング形の磁石３から伸縮ストローク分離れた位置に設置するが、外筒の磁石と同形のリング形の磁石を用いる場合は、内筒の直径は外筒より小さいので適宜なスペーサーを用いて固定する。両磁石は同極を向き合わせて設置するので磁石の反発力により伸縮ストローに伸張方向の弾性力が働く。図２では両磁石のＮ極を向き合わせて設置した状態を示すが、伸縮ストローの伸張した時に於ける両磁石の向き合う面間の距離が伸縮ストロークであり、内筒２と摩擦力により係合している吸口筒５を押して伸縮ストローの縮小方向に外力をかければ、図２Ｂの如く外筒と内筒の磁石の反発力に逆らって伸縮ストローが伸縮ストローク分縮小する。【００１８】図３は、本発明の伸縮ストローの第１実施例の使用状態を示す断面図である。ストロー筒と摩擦力により係合する吸口筒５を持つ伸縮ストローのストロー縮小時の全長が飲料容器の底と開口までの長さより長いストローを飲料容器に挿入する場合を示すもので、その伸縮ストローを飲料容器７に挿入すれば吸口筒５が飲料容器の開口より伸縮ストローク分以上突出する（図３Ａ）。飲料容器の蓋８で伸縮ストローの吸口筒端部を押して外力を与えれば、最初は磁石を設置した外筒と内筒が磁石の反発力に逆らって磁石同士が接するまで縮小する（図３Ｂ）。さらに蓋を飲料容器開口部にねじ込むなどして外力を付与すれば吸口筒とストロー筒間の摩擦力に逆らって吸口筒がストロー筒に押し込まれて、蓋を閉じた時のストロー縮小時の全長が飲料容器の底と開口までの長さと等しくなる（図３Ｃ）。飲料容器の飲料水を飲もうとして蓋を開いた時には、伸縮ストローの外筒と内筒の磁石の反発力により飲料容器の開口から吸口筒が突出し、その突出量は伸縮ストローの伸縮ストローク分である（図３Ｄ）。
【実施例２】
【００１９】図４は、本発明の伸縮ストローの第２実施例を示す断面図である。伸縮ストローに設置した磁石の外側を磁性体成分を含んだ合成樹脂で覆ったものである。合成樹脂にフェライト粉末などの磁性体を混合して磁石カバーを成形し、外筒のリング形の磁石３には磁石カバー９を設置し、内筒のリング形の磁石４には磁石カバー１０を設置したものである。これらの磁石カバーは磁石の反発面以外の外側を磁性体成分を含んだ合成樹脂で覆うものであり、磁石の磁束が磁石の反発面以外の外側に漏れないようにし、また磁石が直接他の物品に触れにくくなるので磁石による悪影響を少なくすることができる。
【実施例３】
【００２０】図５は、本発明の伸縮ストローの第３実施例を示す断面図である。ストローの外筒と内筒に磁石を同極を向き合わせて設置した伸縮ストローであり、外筒自体を磁性体成分を含んだ合成樹脂として両磁石を外筒内に位置するようにしたもので、さらに外筒をねじによる係合手段で長さ方向に分離できるようにしたものである。内筒２の端部にリング形の磁石４を固定して設置し、内筒２の別の端部にはストロー筒と摩擦力により係合する吸口筒５を設ける。磁性体成分を含んだ合成樹脂よりなる外筒は、外筒の内筒に近い側１１と外筒の磁石を設置した側１２の２つに分離しており、ねじにより簡便に係合や分離ができる。外筒の内筒に近い側１１には内筒２の挿入スライド案内部１３があり、内筒の磁石の側部が外筒に触れることなく外筒内部を移動でき、磁石がストッパの役割も果たすので内筒が外筒から抜けることもない。外筒の磁石を設置した側１２には外筒のリング形の磁石３を外筒端部内周とリング形の磁石の外径とを固定することにより設置し、リング形の磁石３の外側端部も磁性体成分を含んだ合成樹脂で覆われ、外筒のリング形の磁石３の内径部が飲料水の吸い込み口となる。外筒をねじによる係合手段で長さ方向に分離する外筒内部の分離線１４を、内筒２に設置した磁石４のストロー伸張時の端部位置近辺として、外筒の磁気回路は分離線で分離し外筒の内筒に近い側１１には外筒の磁石３による磁気があまり及ばず、外筒内を移動する内筒に設置したリング形の磁石４と、外筒の内筒に近い側１１との間に働く磁気による吸着力を、ストロー伸張方向の弾性力に利用できる。図５Ａは伸縮ストローが伸張した状態を示し、ストローの外筒と内筒の磁石は同極が向き合っているので反発力が働き伸張方向の弾性力となる。また図５Ｂは伸縮ストローが縮小した状態を示し、伸縮ストローに外力を与えて外筒と内筒が磁石の反発力に逆らって磁石同士が接するまで縮小した状態であり、外筒内を移動する内筒に設置したリング形の磁石４と、外筒の内筒に近い側１１との間には磁気による吸着力が働く。両磁石が外筒内に位置するので磁石の磁束がストローの外側に漏れず、ストロー内部の飲料水に磁石により磁気を充分作用させることができる。
【図面の簡単な説明】
【００２１】
【図１】本発明の伸縮ストローの第１実施例を示す斜視図である。
【図２】本発明の伸縮ストローの第１実施例を示す断面図である。
【図３】本発明の伸縮ストローの第１実施例の使用状態を示す断面図である。
【図４】本発明の伸縮ストローの第２実施例を示す断面図である
【図５】本発明の伸縮ストローの第３実施例を示す断面図である
【符号の説明】
【００２２】１  外筒
２  内筒
３  磁石
４  磁石
５  吸口筒
９  磁石カバー
１０  磁石カバー
１１  外筒の内筒に近い側
１２  外筒の磁石を設置した側
１４  外筒内部の分離線
【図１】
2005081117.tif 000003
【図２】
2005081117.tif 000004
【図３】
2005081117.tif 000005
【図４】
2005081117.tif 000006
【図５】
2005081117.tif 000007